(57)【要約】【課題】水を注入する装置内に通電体または放電体とコイルを設置して、両者が相乗的に作用することにより、生成される乳化促進水の性能を飛躍的に向上させるようにした乳化促進水の生成装置を提供する。【解決手段】水の注入口２にフィルター４を取付け、且つそのほぼ中央部位から注出口３に向けて内径が縮小するように形成された装置本体１の内部に、コイル６と通電体または放電体８を備えた構成とする【選択図】図１
0003161307.tif 000002
【実用新案登録請求の範囲】
【請求項１】
水の注入口にフィルターを取付けた形状の装置であって、そのほぼ中央部位から注出口に向けて内径が縮小するように形成された装置本体と、該装置本体内に設置されたコイルと、装置本体内における前記コイルとは別位置に設置された通電体または放電体とにより構成したことを特徴とする乳化促進水の生成装置。
【請求項２】
上記した装置本体を有底箱状に形成するとともに、生成された乳化促進水を、導水管を介して装置本体の上部側方から排出するように構成したことを特徴とする請求項１に記載の乳化促進水の生成装置。
【請求項３】
上記した装置本体の内部に、磁性体と撹拌器の一方または両方を設置したことを特徴とする請求項１または請求項２に記載の乳化促進水の生成装置。
【考案の詳細な説明】
【技術分野】
【０００１】  本考案は、化粧水の製造や機械類の洗浄、その他の幅広い分野で利用される乳化促進水の生成に係るものであり、さらに詳しくは、通電体または放電体およびコイルを用いて、高度な乳化促進作用を有する水を簡易に生成するようにした乳化促進水の生成装置に関するものである。
【背景技術】
【０００２】  従来から汎用されている乳化促進水の生成装置としては、イオンを発生させる特殊金属を水に接触させる方法や、微細な孔を穿設したフィルターの中に水を通過させて、クラスター半径を小さくする方法等により、水の乳化反応を促進するようにした装置があった。【０００３】  また、上述した従来技術における後者の方法を応用した例としては、液体燃料中にフィルターを介して水を高圧注入して、液体燃料中に極小微粒子状の水を混入し、これにより高燃焼率の液体燃料を生成するようにした水の乳化方法および装置が提案されている（特許文献１参照）。
【先行技術文献】
【特許文献】
【０００４】
【特許文献１】  特開２０１０−６５１２７号公報
【考案の概要】
【考案が解決しようとする課題】
【０００５】  しかしながら上述のような乳化促進水の生成装置では、生成対象となる水の活性度が低いままの状態で作業が行われるので、装置の作用が水の全体に及び難く、高レベルの乳化促進水を生成することができないという極めて重大な問題点があった。【０００６】  そこで本考案は、生成装置内に通電体または放電体とコイルを設置して、両者が相乗的に作用することにより、生成される乳化促進水の性能を飛躍的に向上させるようにした乳化促進水の生成装置を提供しようとするものである。
【課題を解決するための手段】
【０００７】  上記の課題を解決するため、本考案は以下のような技術的手段を講ずるものである。
すなわち請求項１に記載の乳化促進水の生成装置は、水の注入口にフィルターを取付けた形状の装置であって、そのほぼ中央部位から注出口に向けて内径が縮小するように形成された装置本体と、該装置本体内に設置されたコイルと、装置本体内における前記コイルとは別位置に設置された通電体または放電体とにより構成するものである。【０００８】  また請求項２に記載の本考案は、請求項１に記載の乳化促進水の生成装置において、上記した装置本体を有底箱状に形成するとともに、生成された乳化促進水を、導水管を介して装置本体の上部側方から排出するように構成したものである。【０００９】  また請求項３に記載の本考案は、請求項１または請求項２に記載の乳化促進水の生成装置において、上記した装置本体の内部に、磁性体と撹拌器の一方または両方を設置した構成とするものである。【００１０】  上述のような解決手段を備えた本考案において、装置本体の注入口にフィルターが取付けられていて、注入された水のクラスター半径が小さくなるように設けられており、またその装置本体の内部に設置されたコイルによって水の全体に強力な電磁場が作用されるので、極めて高レベルな活性度が付与されるようになっている。さらに本考案においては、前記手段で活性化された水に通電体または放電体からイオンが付与される構成となっているので、注出口から排出される水は、高度な乳化促進性能を備えた水に変化しているのである。
【考案の効果】
【００１１】  従来の一般的な装置で生成された水では、充分な乳化促進作用を保有することができなかったが、本考案装置においては、フィルターとコイルと通電体または放電体を用いるのみの簡易な手段で、高レベルの乳化促進水を生成することができるという顕著な効果を奏するものである。【００１２】  また本装置によって生成された乳化促進水は、化学的添加剤を全く使用しておらず、人体や機械類等に損傷を与えることがないので、化粧水の製造や機械類の洗浄等を始めとする様々な分野に、幅広く利用することができるという特筆すべき効果も有している。
【図面の簡単な説明】
【００１３】
【図１】  本考案に成る乳化促進水の生成装置の構成を模式的に示す断面図である。
【図２】  他の実施形態の構成を模式的に示す断面図である。
【考案を実施するための形態】
【００１４】  以下に、本考案に成る乳化促進水の生成装置に係る二例の実施形態を、各図に基づいて詳細に説明するが、図１に示す乳化促進水の生成装置は、装置本体１とフィルター４とコイル６と通電体または放電体８を主たる構成材とするものである。
【００１５】  前記した装置本体１は、水Ｗを上端部の注入口２から注入して下端部の注出口３から排出するように設けるとともに、その上半部が広幅状で、且つその中央部位から注出口３に向かって内径が急激に縮小するような大略碗形状に形成されたものである。装置本体１の下半部をこのような形状に設けることにより、その部位で水の自然な円運動が発生し、その円運動によって遠心力が加えられる結果、後述するように、水の全体に対して強力なイオンを付与することが可能となっているのである。なお注出口３を形成するパイプ状部の長さは図示の長さに限定されるものではなく、また必要に応じて注出口３に止着栓を嵌脱するようにするとよい。
【００１６】  また前記装置本体１の上端部に位置する注入口２（あるいは注入口２の近傍）には、フィルター４が取付けられているが、このフィルター４は、装置本体１に水を注入した際にクラスター半径を小さくする役目を担うもので、従来から一般的に使用されている水の乳化装置用のものとほぼ同一のものである。
【００１７】  また装置本体１の内部（図１における左側位置）には、装置本体内のやや上部位置で電源７に接続されたコイル６と、そのコイル６とは別位置で電源９に接続された形状の通電体または放電体８が設置されている。この場合に、フィルター４を通過して注入された水Ｗは、コイル６の強力な電磁場の作用で全体的に活性度が高められ、且つ装置本体１の下半部で遠心力が加えられるとともに、通電体または放電体８によってイオンが付与されるようになっているので、これらの相乗作用によって高度な乳化促進性能を有する水に変化するものである。なお図においては、通電体または放電体８がコイル６に近接したやや下方位置に配置されているが、この通電体または放電体８については、装置本体内のどの位置に配置されてもよい。
【００１８】  さらに装置本体１の内部におけるコイル等と相対向する位置（図１の右側位置）には、適宜な形状の磁性体５と、電源１１および図示しないモーターに連結された撹拌器１０が配置されている。この磁性体５と撹拌器１０は、水Ｗ全体の活性度を更に高めるために用いられるもので、必ずしも図示の位置に配置される必要はない。なおこれらの磁性体５と撹拌器１０は必須の構成要件ではないので、全く使用しない構成としてもよく、さらには両者のいずれかを選択して使用するようにしても差し支えない。
【００１９】  次に、図２を参照して本考案の他の実施形態について説明するが、この実施形態における乳化促進水の生成装置は、装置本体２１と導水管２２、フィルター２５、コイル２７、通電体または放電体２９を主たる構成材とするものである
【００２０】  本実施形態における装置本体２１の形状は、上部が開放された角柱型または円筒型の有底箱状に形成されているが、この開放された上端部すなわち注入口２３（あるいは注入口２３の近傍）には、前実施形態の場合と同様なフィルター２５が取付けられており、また該装置本体２１内における隅部には、乳化促進水に変化した水Ｗを外部へ排出するための汲み上げ式導水管２２が設置されている。
【００２１】  該導水管２２は、装置本体２１の内部に縦状に配置されたパイプの上端が、図示のように逆Ｌ字状に折れ曲がって装置本体２１の一側面から外方に突出した後、再び下方に向けて折れ曲がった形状に設けられたもので、その末端部が注出口２４となっている。なお該注出口２４は、その周囲をフィルター２６によって覆われた形状となっている。
【００２２】  また装置本体２１の内部には、電源２８に接続されたコイル２７と通電体または放電体２９と磁性体３０が設置されているが、これらについては前実施形態の場合と全く同一である。なおこの実施形態においても、必要に応じて撹拌器を使用してもよく、さらに通電体または放電体２９は、電源に接続するようにしてもよい。
【００２３】  本考案は以上のように構成された乳化促進水の生成装置であり、以下に本考案装置の使用例を図１に基づいて説明する。
まず注入口２から水Ｗを注入すると、水Ｗはフィルター４によってクラスター半径を小さくされ、さらに通電されたコイル６による強力な電磁場の作用で活性度が高められる。続いて、このように活性化された状態の水Ｗに通電体または放電体８からイオンが付与され、併せて磁性体５と撹拌器１０および装置本体１の下部形状によって水Ｗ全体の活性度が更に高められた後に、注出口３から排出される。
【００２４】  また図２の実施形態においては、前実施形態の場合と同様な経過で生成された乳化促進水が、導水管２２によって汲み上げられて装置本体２１の上部側方から排出されるのであるが、この場合に、注出口２４から落下した水Ｗはフィルター２６を通過して排出されるようになっている。
【符号の説明】
【００２５】１，２１  装置本体
２，２３  注入口
３，２４  注出口
４，２５，２６  フィルター
５，３０  磁性体
６，２７  コイル
８，２９  通電体または放電体
１０  撹拌器
２２  導水管
Ｗ  水
【図１】
0003161307.tif 000003
【図２】
0003161307.tif 000004